(57)【要約】【課題】給電装置の接続ポートへのアクセス性を高める。【解決手段】ソファーユニット１は、座部１２を有し、床面Ｆに設置される支持体２と、座部１２の後部に設けられた背凭れ部１３と、背凭れ部１３に設けられ、電子機器が接続可能な接続ポートを有し、電子機器に給電可能な給電装置３０Ａと、を備え、給電装置３０Ａは、接続ポートが前方を向くように設けられている。【選択図】図２
2017217400.tif 000002
【特許請求の範囲】
【請求項１】
座部を有し、床面に設置される支持体と、
前記座部に着座する着座者の着座方向後方に設けられた背凭れ部と、
前記背凭れ部に設けられ、電子機器が接続可能な接続ポートを有し、前記電子機器に給電可能な給電部と、を備え、
前記給電部は、前記接続ポートが前方を向くように設けられていることを特徴とする椅子。
【請求項２】
前記背凭れ部は、
前記座部の後部から上方に立ち上がるように設けられた背凭れベースと、
前記背凭れベースの前方に設けられ、前記背凭れベースよりも軟質な材料で形成された背当て部材と、を備え、
前記給電部は、前記背凭れベースに設けられていることを特徴とする請求項１に記載の椅子。
【請求項３】
前記背凭れ部は、前記背凭れベースよりも上方に延び、パネル状をなしたパネル部材をさらに備え、
前記給電部は、前記パネル部材に沿って設けられた支持部材に支持されていることを特徴とする請求項２に記載の椅子。
【請求項４】
前記パネル部材は、複数枚が隣接配置され、
前記支持部材は、互いに隣接する２つの前記パネル部材の間に挟持されていることを特徴とする請求項３に記載の椅子。
【請求項５】
前記背凭れベースの上端から上方に延びる支柱を備え、
前記給電部は、前記支柱上に設けられていることを特徴とする請求項２に記載の椅子。
【請求項６】
前記支柱は、前記背凭れベースに係止されていることを特徴とする請求項５に記載の椅子。
【請求項７】
前記背凭れベースの後方に、前記背凭れベースを覆う背部パネルをさらに備えることを特徴とする請求項５又は６に記載の椅子。
【請求項８】
前記給電部は、前記背凭れベースの後面に固定されて前記背凭れベースから上方に延びて設けられ、
前記接続ポートは、前記背凭れベースよりも上方に露出するよう前記給電部に設けられていることを特徴とする請求項２に記載の椅子。
【請求項９】
前記背当て部材に、前後方向に連通する開口部が形成され、
前記給電部は、前記開口部内で露出した前記背凭れベースに固定されていることを特徴とする請求項２に記載の椅子。
【発明の詳細な説明】
【技術分野】
【０００１】
本発明は、背凭れを備えた椅子に関する。
【背景技術】
【０００２】
一般に、空港等の公共施設をはじめとする各種施設には、利用者が着座可能なソファー等の椅子が設置されている。このような椅子は、床面上に設けられる脚部と、脚部上に支持された座部及び背凭れを備えている。
【０００３】
近年、出先においても、ノート型ＰＣ（パーソナルコンピュータ）、タブレット端末、携帯型電話端末、スマートフォン等の電子機器に装備された充電池を充電することに対する要求が高まっている。
このため、各種の施設、列車、自動車等の室内空間に設置された椅子の周辺等に、コンセントや、給電可能なＵＳＢ（Ｕｎｉｖｅｒｓａｌ  Ｓｅｒｉａｌ  Ｂｕｓ）コネクタ等の接続ポートが装備されつつある。
【０００４】
例えば、特許文献１には、シートの背凭れの側面に、コンセントを備えた構成が開示されている。
【先行技術文献】
【特許文献】
【０００５】
【特許文献１】実開昭６３−３６３５５号公報
【発明の概要】
【発明が解決しようとする課題】
【０００６】
しかしながら、特許文献１に開示された構成においては、コンセントは、背凭れの側面に設けられている。このため、着座者が電子機器側の電源プラグをコンセントに挿抜しようとすると、上半身を大きく動作させて背凭れの側面をのぞきこまなければならず、コンセント（接続ポート）へのアクセス性が悪い。
そこでなされた本発明の目的は、給電装置の接続ポートへのアクセス性を高めることのできる椅子を提供することである。
【課題を解決するための手段】
【０００７】
本発明は、上記課題を解決するため、以下の手段を採用する。
この発明に係る椅子は、座部を有し、床面に設置される支持体と、前記座部に着座する着座者の着座方向後方に設けられた背凭れ部と、前記背凭れ部に設けられ、電子機器が接続可能な接続ポートを有し、前記電子機器に給電可能な給電部と、を備え、前記給電部は、前記接続ポートが前方を向くように設けられている。
【０００８】
このように、給電部を背凭れ部に設け、さらに接続ポートを前方に向けて設けることで、着座者がのぞきこむ動作をする必要がなく単に振り向くだけで、接続ポートに電源プラグや各種のコネクタを、座部の前方、つまり背凭れ部の前面に対面した側から容易に接続することができ、接続ポートにアクセスしやすくなる。
【０００９】
また、この発明に係る椅子は、上記椅子において、前記背凭れ部は、前記座部の後部から上方に立ち上がるように設けられた背凭れベースと、前記背凭れベースの前方に設けられ、前記背凭れベースよりも軟質な材料で形成された背当て部材と、を備え、前記給電部は、前記背凭れベースに設けられているようにしてもよい。
このように、背凭れ部が、背凭れベースよりも軟質な材料で形成された背当て部材を備える構成において、給電部を背凭れベースに設けることで、着座者による荷重によって背当て部材が弾性変形しても、給電部は、背当て部材の弾性変形の影響を受けることなく、背凭れベースに固定された状態を維持する。これにより、給電部に設けられた接続ポートの向きや位置が変わることなく、接続ポートへの電源プラグや各種のコネクタの接続を容易かつ確実に行うことができる。
【００１０】
また、この発明に係る椅子は、上記椅子において、前記背凭れ部は、前記背凭れベースよりも上方に延び、パネル状をなしたパネル部材をさらに備え、前記給電部は、前記パネル部材に沿って設けられた支持部材に支持されているようにしてもよい。
このように構成することで、背凭れベースよりも上方に延びるパネル部材に、支持部材を介して給電部を設けることで、接続ポートが背凭れベースよりも上方に露出する。これにより、接続ポートへの電源プラグや各種のコネクタの接続を容易かつ確実に行うことができる。
また、給電部の設置位置を、背凭れベースよりも上方の領域であれば高い自由度で設定することができる。
【００１１】
また、この発明に係る椅子は、上記椅子において、前記パネル部材は、複数枚が隣接配置され、前記支持部材は、互いに隣接する２つの前記パネル部材の間に挟持されているようにしてもよい。
このように構成することで、給電部を支持する支持部材が露出するのを抑え、外観を向上させることができる。
【００１２】
また、この発明に係る椅子は、上記椅子において、前記背凭れベースの上端から上方に延びる支柱を備え、前記給電部は、前記支柱上に設けられているようにしてもよい。
このように、背凭れベースよりも上方に延びる支柱上に給電部を設けることで、接続ポートが背凭れベースよりも上方に露出する。これにより、接続ポートへの電源プラグや各種のコネクタの接続を容易かつ確実に行うことができる。
【００１３】
また、この発明に係る椅子は、上記椅子において、前記支柱は、前記背凭れベースの上端に係止されているようにしてもよい。
このような構成によれば、支柱は、背凭れベースの上端に係止して設ければよいので、組立性に優れる。
【００１４】
また、この発明に係る椅子は、上記椅子において、前記背凭れベースの後方に、前記背凭れベースを覆う背部パネルをさらに備えるようにしてもよい。
このように構成することで、背凭れベースよりも上方に延びる支柱や、支柱上の給電部に電力を供給する配線等を背部パネルで覆うことができ、椅子を背凭れ部側の後方から見たときの外観を向上させることができる。
【００１５】
また、この発明に係る椅子は、上記椅子において、前記給電部は、前記背凭れベースの後面に固定されて前記背凭れベースから上方に延びて設けられ、前記接続ポートは、前記背凭れベースよりも上方に露出するよう前記給電部に設けられているようにしてもよい。
このように、給電部自体を背凭れベースに固定することで、支柱や支持部材を備える必要が無く、部品点数を抑えることができる。また、給電部を、背凭れベースの上端から上方に延ばし、接続ポートを背凭れベースの上端よりも上方に設けることで、接続ポートが背凭れベースよりも上方に露出する。したがって、接続ポートへの電源プラグや各種のコネクタの接続を容易かつ確実に行うことができる。
【００１６】
また、この発明に係る椅子は、上記椅子において、前記背当て部材に、前後方向に連通する開口部が形成され、前記給電部は、前記開口部内で露出した前記背凭れベースに固定されているようにしてもよい。
このように、背当て部材に形成した開口部内で、給電部を背凭れベースに固定することで、給電部は背当て部材の弾性変形の影響を受けることなく、背凭れベースに固定された状態を維持する。また、背当て部材の上方等に給電部が突出することがなく、椅子の外観を向上させることができる。
【発明の効果】
【００１７】
この発明に係る椅子によれば、給電装置の接続ポートへのアクセス性を高めることができる。
【図面の簡単な説明】
【００１８】
【図１】本発明の第１の実施形態に係るソファーユニットの全体構成を示す斜視図である。
【図２】上記ソファーユニットの側面図である。
【図３】互いに隣接するパネル体同士の間に設けられる支持部材を示す斜視展開図である。
【図４】互いに隣接するパネル体同士の間に設けられた支持部材を示す断面図である。
【図５】互いに隣接するパネル体同士の間に挟持された支持部材を示す平面図である。
【図６】本発明の第２の実施形態に係るソファーユニットの全体構成を示す斜視図である。
【図７】上記ソファーユニットの側面図である。
【図８】背凭れベース上に係止された給電装置を示す斜視図である。
【図９】給電装置を支持する支柱を斜め前方から見た斜視図である。
【図１０】給電装置を支持する支柱を斜め後方から見た斜視図である。
【図１１】本発明の第３の実施形態に係るベンチユニットの全体構成を示す斜視図である。
【図１２】ベンチユニットに設けられた給電装置を示す側面図である。
【図１３】本発明の第４の実施形態に係るソファーユニットの全体構成を示す斜視図である。
【図１４】ソファーユニットに設けられた給電装置を示す側断面図である。
【発明を実施するための形態】
【００１９】
以下、添付図面を参照して、本発明による椅子を実施するための形態を説明する。しかし、本発明はこれらの実施形態のみに限定されるものではない。
【００２０】
（第１の実施形態）
図１は、本発明の第１の実施形態に係るソファーユニットの全体構成を示す斜視図である。図２は、上記ソファーユニットの側面図である。図３は、互いに隣接するパネル体同士の間に設けられる支持部材を示す斜視展開図である。図４は、互いに隣接するパネル体同士の間に設けられた支持部材を示す断面図である。図５は、互いに隣接するパネル体同士の間に挟持された支持部材を示す平面図である。
図１、図２に示すように、ソファーユニット（椅子）１は、着座可能な複数のソファー１０と、給電装置（給電部）３０Ａと、を備えている。
以下の説明において、便宜上、ソファー１０に着座した着座者が前を向く方向を着座方向とし、着座方向の前方を単に「前方」、その反対方向を「後方」と称する。また、ソファー１０が設置される床面Ｆ側とその反対側を結ぶ方向を「上下方向」と称する。また、ソファー１０の幅方向、つまり前後方向と直交する水平方向を「幅方向」と称する。また、図中において、前方を矢印ＦＲで示し、上方を矢印ＵＰで示し、幅方向の左方を矢印ＬＨで示す。
【００２１】
（ソファー）
本実施形態では、ソファーユニット１は、互いに隣接配置された２個のソファー１０を備えている。
各ソファー１０は、床面Ｆ上に設置される支持体２と、支持体２に支持され着座者の背を受ける背凭れ部１３とを有している。
【００２２】
支持体２は、床面Ｆ上に設置され上方に向かって延びる４本の脚部１１と、これら脚部１１に支持された座部１２と、を有している。
脚部１１は、ソファー１０の前後方向および幅方向に間隔を有して４本設けられている。これら脚部１１の上端は、座部１２の下面に取り付けられている。座部１２の上面は、利用者が着座可能な座面１２ｕとされている。
【００２３】
背凭れ部１３は、背凭れベース１６と、クッション（背当て部材）１７と、背凭れベース１６の背面側に一体的に設けられたパネル体（パネル部材、背部パネル）２０と、を備えている。
背凭れベース１６は、鉛直面内に位置する板状で、下部が座部１２に連結されて、座部１２の座面１２ｕよりも上方に向かって突出するよう延びている。ここで、背凭れベース１６は、着座者による荷重に耐えうるよう、所要の強度を有した材料、例えば、木系材料、樹脂系材料、金属系材料、あるいはこれらを組み合わせた複合材料等の硬質材料から形成されている。
【００２４】
クッション１７は、背凭れベース１６の前方に沿って配置されている。クッション１７は、背凭れベース１６よりも柔軟で、例えば布やビニール素材のカバー１７ａ内に、スポンジ、ウレタン等の軟質材料からなる各種クッション材が充填されている。なお、このクッション１７は、図１、図２に図示した形状に限らず、いかなる形状であってもよい。
【００２５】
（パネル体）
本実施形態では、各背凭れベース１６の背面に沿って、２枚のパネル体２０が隣接配置されている。
図２に示すように、パネル体２０は、パネル状の基体２１の両面に、柔軟性および弾性を有した材料、例えば発泡ウレタン材等からなるクッション材２２と、基材およびクッション材２２を覆う表皮材２３と、を備えている。
【００２６】
基体２１の外周部には、フレーム２４が設けられている。フレーム２４は、パネル体２０の外周部に沿って周方向に連続し、パネル体２０の内方に向けて窪んだ溝２４ｍを有している。
【００２７】
パネル体２０の下部は、Ｌ字状のジョイント金具２６を介し、ソファー１０の座部１２の下面に連結されている。また、図１に示すように、パネル体２０の上下方向の中間部は、パネル体２０の前面に設けられた下向きコ字状の係止フック２７が、ソファー１０の背凭れベース１６の上端１６ｔに係止されることで固定されている。
これにより、パネル体２０は、ソファー１０の背凭れベース１６の後方に沿うようにしてソファー１０と一体に設けられている。また、パネル体２０は、背凭れベース１６よりも上方に延出して設けられている。
【００２８】
図３、図４に示すように、上記したようなパネル体２０の下部のコーナー部には、床面Ｆに接地することで、パネル体２０を床面Ｆ上に立設させる支持脚体２５が設けられている。
支持脚体２５は、フレーム２４の下部端部に収容される基部２５ａと、基部２５ａから下方に延びる支持脚部２５ｂと、を一体に備えている。また、支持脚体２５には、支持脚部２５ｂに対してパネル体２０の幅方向外側に、下方およびパネル体２０の幅方向外側に開口したスリット２５ｓが形成されている。図４に示すように、このスリット２５ｓ内には、上方に窪んだ凹部２５ｔが形成されている。
【００２９】
（給電装置）
図１〜図３に示すように、給電装置３０Ａは、各ソファー１０に着座した利用者が、電子機器の充電等を行う際に利用することができるものである。図３に示すように、給電装置３０Ａは、装置本体３１を備えている。装置本体３１は、支持部材４０に支持されている。
【００３０】
装置本体３１は、電子装置の電源プラグが接続可能なコンセント接続ポート（接続ポート）３２や、ＵＳＢケーブルの端部に設けられたコネクタが接続可能なコネクタ接続ポート（接続ポート）３３を備えている。この実施形態において、コンセント接続ポート３２及びコネクタ接続ポート３３は、装置本体３１の幅方向中心に対し、幅方向一方の側と他方の側とにそれぞれ左右対称に設けられている。
【００３１】
図３に示すように、支持部材４０は、杆体４１と、固定金具４２と、ステー４３と、受け台４４と、を一体に備えている。
【００３２】
図３、図５に示すように、杆体４１は、平断面視矩形状の筒状をなしている。杆体４１は、互いに隣接するパネル体２０，２０の間に挟み込まれて配置される。具体的には、杆体４１は、互いに隣接するパネル体２０，２０の側端部に形成された溝２４ｍ，２４ｍ内に収容され、水平方向への移動が拘束されている。
【００３３】
図３、図４に示すように、固定金具４２は、杆体４１の下端部に設けられている。固定金具４２は、パネル体２０の表面に沿って幅方向両側に突出する係合片４２ａ，４２ａを有している。各係合片４２ａは、上方に突出する凸部４２ｂを有している。
固定金具４２は、支持脚体２５に形成されたスリット２５ｓ内に下方から挿入され、凸部４２ｂがスリット２５ｓの凹部２５ｔに係合した状態で、固定金具４２と支持脚体２５とが、ボルト４５により締結される。
これにより、支持部材４０は、上下方向への移動が拘束されている。
【００３４】
図３に示すように、ステー４３は、杆体４１の上部において、杆体４１の幅方向中央部から前方に向かって突出するよう設けられている。
図５に示すように、ステー４３は、互いに隣接するパネル体２０，２０の溝２４ｍ，２４ｍ内で杆体４１が挟持された状態で、パネル体２０，２０の隙間から前方に突出するよう設けられている。図２に示すように、ステー４３は、ソファー１０の背凭れベース１６の上端よりも上方に位置するよう設けられている。
【００３５】
受け台４４は、水平面内に位置するよう、ステー４３の上面に設けられている。受け台４４は、パネル体２０，２０に対して前方のソファー１０側に張り出し、背凭れベース１６の上方に配置される。
装置本体３１は、この受け台４４上に固定されている。この状態で、装置本体３１に設けられたコンセント接続ポート３２，コネクタ接続ポート３３は、各ソファー１０の前方を向くよう設けられている。
【００３６】
上述したようなソファーユニット１によれば、座部１２を有し、床面Ｆに設置される支持体２と、座部１２の後部に設けられ、座部１２に着座する着座者の着座方向後方に設けられた背凭れ部１３と、背凭れ部１３に設けられ、電子機器が接続可能なコンセント接続ポート３２、コネクタ接続ポート３３を有し、電子機器に給電可能な給電装置３０Ａと、を備えている。また、給電装置３０Ａは、コンセント接続ポート３２、コネクタ接続ポート３３が前方を向くように設けられている。
【００３７】
このように構成することで、着座者がのぞきこむ動作をする必要がなく単に振り向くだけで、コンセント接続ポート３２、コネクタ接続ポート３３に電源プラグや各種のコネクタを、前方、つまり背凭れ部１３の前面に対面した側から容易に接続することができ、コンセント接続ポート３２、コネクタ接続ポート３３にアクセスしやすくなる。
【００３８】
また、背凭れ部１３は、座部１２の後部から上方に立ち上がるように設けられた背凭れベース１６と、背凭れベース１６の前方側に設けられ、背凭れベース１６よりも軟質な材料で形成されたクッション１７と、を備え、給電装置３０Ａは、背凭れベース１６に設けられている。
このように、背凭れ部１３が、背凭れベース１６よりも軟質な材料で形成されたクッション１７を備える構成において、給電装置３０Ａを背凭れベース１６に設けることで、着座者による荷重によってクッション１７が弾性変形しても、給電装置３０Ａはクッション１７の弾性変形の影響を受けることなく、背凭れベース１６に固定された状態を維持する。これにより、給電装置３０Ａに設けられたコンセント接続ポート３２、コネクタ接続ポート３３の向きや位置が変わることなく、コンセント接続ポート３２、コネクタ接続ポート３３への電源プラグや各種のコネクタの接続を容易かつ確実に行うことができる。
【００３９】
また、ソファーユニット１は、背凭れベース１６よりも上方に延び、パネル状をなしたパネル体２０をさらに備え、給電装置３０Ａは、パネル体２０に沿って設けられた支持部材４０に支持されている。このように、背凭れベース１６よりも上方に延びるパネル体２０に、支持部材４０を介して給電装置３０Ａを設けることで、コンセント接続ポート３２、コネクタ接続ポート３３が背凭れベース１６よりも上方に露出する。これによって、コンセント接続ポート３２、コネクタ接続ポート３３への電源プラグや各種のコネクタの接続を容易かつ確実に行うことができる。
また、背凭れベース１６よりも上方の領域であれば、給電装置３０Ａの設置位置を高い自由度で設定することができる。
【００４０】
また、パネル体２０は、複数枚が隣接配置され、支持部材４０は、互いに隣接する２つのパネル体２０の間に挟持されている。このように構成することで、給電装置３０Ａを支持する支持部材４０が露出するのを抑え、外観を向上させることができる。
【００４１】
（第２の実施形態）
次に、本発明に係る椅子の第２の実施形態について説明する。なお、以下に説明する第２の実施形態においては、上記第１の実施形態と共通する構成については図中に同符号を付してその説明を省略する。
図６は、本発明の第２の実施形態に係るソファーユニットの全体構成を示す斜視図である。図７は、上記ソファーユニットの側面図である。図８は、背凭れベース上に係止された給電装置を示す斜視図である。図９は、給電装置を支持する支柱を斜め前方から見た斜視図である。図１０は、給電装置を支持する支柱を斜め後方から見た斜視図である。
図６、図７に示すように、ソファーユニット１は、着座可能な複数のソファー１０と、給電装置（給電部）３０Ｂと、を備えている。
【００４２】
給電装置３０Ｂは、装置本体３１を備えている。装置本体３１は、支柱５０に支持されている。
【００４３】
図８〜図１０に示すように、支柱５０は、支持ブラケット５１と、受け台５２と、脚部カバー５３と、を備えている。
【００４４】
支持ブラケット５１は、支柱部５４（図１０参照）と、支柱部５４から下方に延出した延出部５５と、を一体に有している。
図１０に示すように、支柱部５４は、鉛直面内に位置する板状の基部５４ａと、基部５４ａの幅方向両側から前方に延びる側壁部５４ｂとを有して、平断面視前向きコ字状をなしている。基部５４ａの下端部には、装置本体３１から導出される給電ケーブル３５を通す凹部５４ｃが形成されている。
図８〜図１０に示すように、延出部５５は、支柱部５４の基部５４ａから連続して下方に延出するプレート部５５ａと、プレート部５５ａの幅方向一端から直交して前方に延出する直交片５５ｂと、を有した平断面視Ｌ字状をなしている。
【００４５】
図１０に示すように、受け台５２は、支持ブラケット５１の支柱部５４上に、水平面内に位置するよう設けられている。受け台５２には、上下方向に貫通し、支柱部５４の基部５４ａと側壁部５４ｂ，５４ｂとに囲まれた空間に連通する開口部５２ａが形成されている。
【００４６】
受け台５２上に設置される装置本体３１には、下方に向かって延び、開口部５２ａに挿入される挿入片３１ａが一体に設けられている。挿入片３１ａには、上下方向に連続するスリット３６と、挿入片３１ａの幅方向両側から前方に延び、支柱部５４の側壁部５４ｂ，５４ｂに沿うサポート壁３７，３７とが形成されている。
装置本体３１は、挿入片３１ａを開口部５２ａから支柱部５４の内側に挿入した状態で、支柱部５４の後方から、支柱部５４に形成された貫通孔５４ｈ及びスリット３６にビス５６を挿通させ、このビス５６にナット５７を螺着させることで、支持ブラケット５１に固定される。
【００４７】
脚部カバー５３は、支持ブラケット５１の支柱部５４を前方から覆う前面部５３ａと、前面部５３ａの幅方向両側から後方に向かって延び、支柱部５４の側壁部５４ｂを幅方向外側から覆う側面部５３ｂ，５３ｂとを一体に有している。また、脚部カバー５３の前面部５３ａの背面側には、前面部５３ａと前後方向に間隔をあけて配置された固定プレート部５３ｃが設けられている。
このような脚部カバー５３は、支柱部５４の内側に挿入された挿入片３１ａに固定プレート部５３ｃを対向させた状態で、支柱部５４に形成された貫通孔５４ｇ、及びスリット３６にビス５８を挿通させ、このビス５８を固定プレート部５３ｃにねじ込むことで、支持ブラケット５１に固定される。
なお、固定プレート部５３ｃには、前記のナット５７及びビス５６の先端部を収容する開口部５３ｈが形成されている。
【００４８】
図６、図８に示すように、このような支柱５０は、互いに隣接するソファー１０，１０の境界部に配置され、支持ブラケット５１の延出部５５のプレート部５５ａを、一方のソファー１０の背凭れベース１６の背面に沿わせ、直交片５５ｂを、互いに隣接するソファー１０，１０の背凭れベース１６，１６の間に差し込んだ状態で、図示しないビスによって背凭れベース１６に固定される。この状態で、図１０に示した支柱部５４は、背凭れベース１６の上端１６ｔ上に載置される。また、給電ケーブル３５は、凹部５４ｃを通して背凭れベース１６の後方に導出される。
また、支柱５０が設けられた背凭れベース１６の後方には、背凭れベース１６を後方から覆うようにパネル体２０が設けられている。
【００４９】
このようにして設けられた支柱５０の受け台５２上に設置された装置本体３１は、背凭れベース１６の上方に配置されている。この状態で、装置本体３１に形成されたコンセント接続ポート３２，コネクタ接続ポート３３は、各ソファー１０の前方を向くよう設けられている。
【００５０】
上述したようなソファーユニット１によれば、給電装置３０Ｂは、背凭れ部１３に設けられるとともに、コンセント接続ポート３２、コネクタ接続ポート３３が前方を向くように設けられている。このように構成することで、着座者がのぞきこむ動作をする必要がなく単に振り向くだけで、コンセント接続ポート３２、コネクタ接続ポート３３に電源プラグや各種のコネクタを、前方、つまり背凭れ部１３の前面に対面した側から容易に接続することができ、コンセント接続ポート３２、コネクタ接続ポート３３にアクセスしやすくなる。
【００５１】
また、背凭れ部１３が背凭れベース１６よりも軟質な材料で形成されたクッション１７を備える構成において、給電装置３０Ｂを背凭れベース１６に設けることで、着座者による荷重によってクッション１７が弾性変形しても、給電装置３０Ｂはクッション１７の弾性変形の影響を受けることなく、背凭れベース１６に固定された状態を維持する。これにより、給電装置３０Ｂに設けられたコンセント接続ポート３２、コネクタ接続ポート３３の向きや位置が変わることなく、コンセント接続ポート３２、コネクタ接続ポート３３への電源プラグや各種のコネクタの接続を容易かつ確実に行うことができる。
【００５２】
また、背凭れベース１６よりも上方に延びる支柱５０上に給電装置３０Ｂを設けることで、コンセント接続ポート３２、コネクタ接続ポート３３が背凭れベース１６よりも上方に露出する。したがって、コンセント接続ポート３２、コネクタ接続ポート３３への電源プラグや各種のコネクタの接続を容易かつ確実に行うことができる。
さらに、支柱５０は、背凭れベース１６に係止して設ければよいので、組立性に優れる。
【００５３】
また、背凭れベース１６の後方に、背凭れベース１６を覆うパネル体２０が設けられている。このように構成することで、背凭れベース１６よりも上方に延びる支柱５０や、支柱５０上の給電装置３０Ｂに電力を供給する給電ケーブル（配線）３５等をパネル体２０で覆うことができ、ソファーユニット１を後方から見たときの外観を向上させることができる。
【００５４】
（第３の実施形態）
次に、本発明に係る椅子の第３の実施形態について説明する。なお、以下に説明する第３の実施形態においては、上記第１、第２の実施形態と共通する構成については図中に同符号を付してその説明を省略する。
図１１は、本発明の第３の実施形態に係るベンチユニットの全体構成を示す斜視図である。図１２は、ベンチユニットに設けられた給電装置を示す側面図である。
図１１に示すように、ベンチユニット（椅子）６０は、ベンチ本体６１と、給電装置（給電部）３０Ｃと、を備えている。
【００５５】
（ベンチ本体）
ベンチ本体６１は、複数の座部６３，６３…を有し、床面Ｆ上に設置される支持体３と、各座部６３の後部にそれぞれ設けられた背凭れ部６４と、を備えている。
【００５６】
支持体３は、床面Ｆ上に設けられる脚部６２をさらに有している。各座部６３は、脚部６２上に支持されている。脚部６２は、床面Ｆ上に設けられ幅方向に離間して配置された一対の主脚部６５，６５と、これら一対の主脚部６５，６５を連結するビーム６６と、を備えている。
【００５７】
主脚部６５は、ビーム６６が取り付けられた基部６５ａと、基部６５ａから下方に向かうにしたがって次第に前方に向かうように形成された前支持脚６５ｆと、基部６５ａから下方に向かうにしたがって次第に後方に向かうように形成された後支持脚６５ｒと、を有している。
【００５８】
ビーム６６は、幅方向に沿って延び、その両端部が主脚部６５，６５の基部６５ａ，６５ａに接合されている。
【００５９】
脚部６２上には、フレーム７０が設けられている。フレーム７０は、座部ベース７１と、背凭れベース７２と、を一体に備えている。
座部ベース７１は、幅方向に沿って連続し、幅方向両端部が主脚部６５，６５上に支持されている。
背凭れベース７２は、幅方向に沿って複数（例えば３個）が設けられ、それぞれ、座部ベース７１の後端部から上方に向かうにしたがって次第に後方に向かうように延びている。
【００６０】
座部６３は、上記の座部ベース７１と、座部ベース７１上に幅方向に沿って複数（例えば３個）設けられた座パッド７３と、から構成されている。各座パッド７３の上面は、座面７３ｆとされている。
【００６１】
背凭れ部６４は、上記背凭れベース７２と、背凭れベース７２の前面に沿って設けられた背パッド（背当て部材）７４と、から構成されている。
ここで背凭れベース７２は、着座者による荷重に耐えうるよう、所要の強度を有した材料、例えば、木系材料、樹脂系材料、金属系材料、あるいはこれらを組み合わせた複合材料等の硬質材料から形成されている。
背パッド７４は、背凭れベース７２よりも柔軟な材料からなり、例えば布やビニール素材のカバー７４ａ内に、スポンジ等の各種クッション材（図示無し）が充填されている。
【００６２】
図１２に示すように、背凭れベース７２及び背パッド７４は、その上端部７２ｔ、７４ｔが、後方に向かって湾曲し、水平方向後方に延びている。
【００６３】
（給電装置）
給電装置３０Ｃは、中空箱状をなした筐体８１と、筐体８１に設けられたコンセント接続ポート３２及びコネクタ接続ポート３３（図１１参照）と、を備えている。
【００６４】
筐体８１は、水平方向に延びる基部８１ａと、基部８１ａの後端部から後方に向かうにしたがって斜め上方に延びる延出部８１ｂと、を一体に備えている。筐体８１の内部には、ステー８２，８３が設けられている。ステー８２，８３は、背凭れベース７２の上端部７２ｔの背面にビス８４，８５によって固定されている。これによって筐体８１が背凭れベース７２の上端部７２ｔに装着され、筐体８１の延出部８１ｂは、背凭れ部６４よりも上方に突出している。
【００６５】
図１１に示すように、コンセント接続ポート３２及びコネクタ接続ポート３３は、筐体８１の延出部８１ｂにおいて、背凭れ部６４よりも上方に突出する部分に、前方を向いて設けられている。
【００６６】
上述したようなベンチユニット６０によれば、給電装置３０Ｃは、背凭れ部６４に設けられるとともに、コンセント接続ポート３２、コネクタ接続ポート３３が前方を向くように設けられている。このように構成することで、着座者がのぞきこむ動作をする必要がなく単に振り向くだけで、コンセント接続ポート３２、コネクタ接続ポート３３に電源プラグや各種のコネクタを、前方、つまり背凭れ部６４の前面に対面した側から容易に接続することができ、コンセント接続ポート３２、コネクタ接続ポート３３にアクセスしやすくなる。
【００６７】
また、背凭れ部６４は、座部６３の後方側に設けられた背凭れベース７２と、背凭れベース７２に対して前方に設けられ、背凭れベース７２よりも軟質な材料で形成された背パッド７４と、を備え、給電装置３０Ｃは、背凭れベース７２に設けられている。
このように、背凭れ部６４が、背凭れベース７２よりも軟質な材料で形成された背パッド７４を備える構成において、給電装置３０Ｃを背凭れベース７２に設けることで、着座者による荷重によって背パッド７４が弾性変形しても、給電装置３０Ｃは背パッド７４の弾性変形の影響を受けることなく、背凭れベース７２に固定された状態を維持する。これにより、給電装置３０Ｃに設けられたコンセント接続ポート３２、コネクタ接続ポート３３の向きや位置が変わることなく、コンセント接続ポート３２、コネクタ接続ポート３３への電源プラグや各種のコネクタの接続を容易かつ確実に行うことができる。
【００６８】
また、給電装置３０Ｃは、背凭れベース７２に固定されて背凭れベース７２の上端から上方に延び、背凭れベース７２の上端よりも上方にコンセント接続ポート３２、コネクタ接続ポート３３が設けられている。
このように、給電装置３０Ｃ自体を背凭れベース７２に固定することで、上記第１、第２の実施形態で示したような支柱５０や支持部材４０を備える必要が無く、部品点数を抑えることができる。また、給電装置３０Ｃを、背凭れベース７２の上端から上方に延ばし、コンセント接続ポート３２、コネクタ接続ポート３３を背凭れベース７２の上端よりも上方に設けることで、コンセント接続ポート３２、コネクタ接続ポート３３が背凭れ部６４よりも上方に露出する。したがって、コンセント接続ポート３２、コネクタ接続ポート３３への電源プラグＰや各種のコネクタの接続を容易かつ確実に行うことができる。
【００６９】
（第４の実施形態）
次に、本発明に係る椅子の第４の実施形態について説明する。なお、以下に説明する第４の実施形態においては、上記第１〜第３の実施形態と共通する構成については図中に同符号を付してその説明を省略する。
図１３は、本発明の第４の実施形態に係るソファーユニットの全体構成を示す斜視図である。図１４は、ソファーユニットに設けられた給電装置を示す側断面図である。
図１３、図１４に示すように、ソファーユニット（椅子）９０は、ソファー本体９１と、給電装置（給電部）３０Ｄと、を備えている。
【００７０】
ソファー本体９１は、床面Ｆ上に設置される支持体２と、支持体２に支持され着座者の背を受ける背凭れ部９３とを有している。この実施形態において、ソファーユニット９０は、２つのソファー本体９１を幅方向に並設し、図示しない連結金具等で一体に連結している。
支持体２は、床面Ｆ上に設置され上方に向かって延びる４本の脚部１１と、これら脚部１１に支持された座部１２と、を有している。
【００７１】
背凭れ部９３は、背凭れベース１６と、クッション（背当て部材）９２と、を備えている。
背凭れベース１６は、鉛直面内に位置する板状で、下端が座部１２に連結されて、座部１２の座面１２ｕよりも上方に向かって突出するよう延びている。ここで、背凭れベース１６は、着座者による荷重に耐えうるよう、所要の強度を有した材料、例えば、木系材料、樹脂系材料、金属系材料、あるいはこれらを組み合わせた複合材料等の硬質材料から形成されている。
【００７２】
クッション９２は、背凭れベース１６の前面に一体に設けられている。クッション９２は、座部１２の座面１２ｕの上方に、スペーサ９７を挟んで設けられている。
クッション９２は、背凭れベース１６よりも柔軟で、例えば布やビニール素材のカバー９２ａ内に、スポンジ、ウレタン等の軟質材料からなる各種クッション材９２ｂが充填されている。
クッション９２の前面は、下部に最も前方に突出（膨出）する突出部９２ｔを備え、クッション９２の前面において突出部９２ｔよりも上方は、上方に向かうにしたがって漸次後方に傾斜する傾斜面９２ｓとされている。また、クッション９２の前面において突出部９２ｔよりも下方は、下方に向かうにしたがって漸次後方に湾曲する湾曲面９２ｕとされている。
【００７３】
また、クッション９２には、上下方向の中間部に、傾斜面９２ｓよりも後方に窪む凹部９４が形成されている。凹部９４は、クッション９２に、前後方向に貫通する貫通孔（開口部）９２ｈが形成され、この貫通孔９２ｈの後方に背凭れベース１６が露出することで有底状に形成されている。
この実施形態において、凹部９４は、互いに隣接するソファー本体９１，９１の背凭れ部９３，９３の境界部Ｋを挟んで幅方向両側に跨がるように形成されている。
【００７４】
給電装置３０Ｄは、凹部９４内に設けられている。給電装置３０Ｄの装置本体３１は、凹部９４内に露出した背凭れベース１６に固定されている。給電装置３０Ｄは、コンセント接続ポート３２やコネクタ接続ポート３３が設けられた接続面３０ｆが前方を向くよう設けられている。また、給電装置３０Ｄは、接続面３０ｆが、凹部９４内でクッション９２の突出部９２ｔよりも後方に位置するよう設けられている。
【００７５】
上述したようなソファーユニット９０によれば、給電装置３０Ｄは、背凭れ部９３に設けられるとともに、コンセント接続ポート３２、コネクタ接続ポート３３が前方を向くように設けられている。
このように構成することで、着座者がのぞきこむ動作をする必要がなく単に振り向くだけで、コンセント接続ポート３２、コネクタ接続ポート３３に電源プラグや各種のコネクタを、前方、つまり背凭れ部９３の前面に対面した側から容易に接続することができ、コンセント接続ポート３２、コネクタ接続ポート３３にアクセスしやすくなる。
【００７６】
背凭れ部９３が、背凭れベース１６よりも軟質な材料で形成されたクッション９２を備える構成において、給電装置３０Ｄを背凭れベース１６に設けることで、着座者による荷重によってクッション９２が弾性変形しても、給電装置３０Ｄはクッション９２の弾性変形の影響を受けることなく、背凭れベース１６に固定された状態を維持する。これにより、給電装置３０Ｄに設けられたコンセント接続ポート３２、コネクタ接続ポート３３の向きや位置が変わることなく、コンセント接続ポート３２、コネクタ接続ポート３３への電源プラグＰや各種のコネクタの接続を容易かつ確実に行うことができる。
【００７７】
また、クッション９２に前後方向に連通する貫通孔９２ｈが形成され、給電装置３０Ｄは、貫通孔９２ｈ内で露出した背凭れベース１６に固定されている。これにより、給電装置３０Ｄはクッション９２の弾性変形の影響を受けることなく、背凭れベース１６に固定された状態を維持する。また、背凭れ部９３の上方等に給電装置３０Ｄが突出することがなく、ソファーユニット９０の外観を向上させることができる。
【００７８】
さらに、給電装置３０Ｄは、互いに隣接するソファー本体９１，９１の背凭れ部９３，９３の境界部Ｋに形成された凹部９４内に設けられている。また、給電装置３０Ｄは、接続面３０ｆが、凹部９４内でクッション９２の突出部９２ｔよりも後方に位置するよう設けられている。
これらにより、各ソファー本体９１に着座する着座者の背中が、凹部９４内の給電装置３０Ｄや、これに接続される電源プラグＰや各種のコネクタに触れにくい。したがって、電源プラグＰやコネクタが不用意に抜けるのを抑えることができる。
【００７９】
（その他の実施形態）
なお、本発明の椅子は、図面を参照して説明した上述の各実施形態に限定されるものではなく、その技術的範囲において様々な変形例が考えられる。
例えば、椅子として、ソファーユニット１，９０、ベンチユニット６０を示したが、それらの外観や形状については何ら限定するものではなく、適宜他の構成に変更可能である。
例えば、背凭れベース１６，７２と、クッション１７，９２、背パッド７４とを別体としているが、背凭れベースと、クッションや背パッドとを、カバー部材で一体に覆うようにしてもよい。
上述の実施形態では、支持体２は、脚部１１と座部１２とを有し、座部１２は脚部１１を介して床面Ｆ上に設置され、また、支持体３は、脚部６２と座部６３とを有し、座部６３は脚部６２を介して床面Ｆ上に設置されている。しかしながら、支持体が脚部を有さずに、座部自体を床面上に直に設置するようにしてもよい。
また、給電装置３０Ａ〜３０Ｄの外観、形状についても、何ら限定するものではない。さらに、給電装置３０Ａ〜３０Ｄに、コンセント接続ポート３２やコネクタ接続ポート３３を設けるようにしたが、その種類、設置数等は適宜変更することが可能である。
これ以外にも、本発明の主旨を逸脱しない限り、上記実施の形態で挙げた構成を取捨選択したり、他の構成に適宜変更したりすることが可能である。
【符号の説明】
【００８０】
１  ソファーユニット（椅子）
２、３  支持体
１０  ソファー
１１  脚部
１２  座部
１３  背凭れ部
１６  背凭れベース
１７  クッション（背当て部材）
２０  パネル体（パネル部材、背部パネル）
３０Ａ〜３０Ｄ  給電装置（給電部）
３２  コンセント接続ポート（接続ポート）
３３  コネクタ接続ポート（接続ポート）
３５  給電ケーブル
４０  支持部材
５０  支柱
６０  ベンチユニット（椅子）
６１  ベンチ本体
６２  脚部
６３  座部
６４  背凭れ部
７２  背凭れベース
７４  背パッド（背当て部材）
９０  ソファーユニット（椅子）
９１  ソファー本体
９２  クッション（背当て部材）
９２ｈ  貫通孔（開口部）
９３  背凭れ部
９４  凹部
Ｆ  床面
【図１】
2017217400.tif 000003
【図２】
2017217400.tif 000004
【図３】
2017217400.tif 000005
【図４】
2017217400.tif 000006
【図５】
2017217400.tif 000007
【図６】
2017217400.tif 000008
【図７】
2017217400.tif 000009
【図８】
2017217400.tif 000010
【図９】
2017217400.tif 000011
【図１０】
2017217400.tif 000012
【図１１】
2017217400.tif 000013
【図１２】
2017217400.tif 000014
【図１３】
2017217400.tif 000015
【図１４】
2017217400.tif 000016